(57)【特許請求の範囲】
【請求項１】
ロール紙上に画像を形成する形成手段と、
画像形成後のロール紙を切断する切断手段と、
画像形成後のロール紙を巻き取る巻き取り手段と
を有する画像形成装置であって、
前記巻き取り手段により前記ロール紙を巻き取るが前記切断手段により前記ロール紙を切断しない巻き取り非切断モードに前記画像形成装置が設定されている場合、印刷ジョブにおける前記ロール紙の切断を指定する設定値に基づく切断処理を実行しない制御手段
を備えることを特徴とする画像形成装置。
【請求項２】
前記制御手段は、前記巻き取り非切断モードに前記画像形成装置が設定されている場合、前記ロール紙の切断を指定する設定値を、ロール紙を切断しないことを指定する値に書き換える
ことを特徴とする請求項１に記載の画像形成装置。
【請求項３】
前記巻き取り手段により前記ロール紙を巻き取り、かつ、前記切断手段により前記ロール紙を切断する巻き取り切断モードに前記画像形成装置が設定されている場合、前記制御手段は、前記切断処理を実行するか否かを決定することを特徴とする請求項１に記載の画像形成装置。
【請求項４】
前記巻き取り手段により前記ロール紙を巻き取り、かつ、前記切断手段により前記ロール紙を切断する巻き取り切断モードに前記画像形成装置が設定されていて、かつ、切断位置にカット屑を軽減するために引かれるラインに関する軽減ライン設定が前記画像形成装置において有効化されていて、かつ、前記印刷ジョブにフチ無し印刷の指定と前記ロール紙の切断の指定が含まれている場合、前記制御手段は、前記切断処理を実行しないことを特徴とする請求項１乃至３の何れか１項に記載の画像形成装置。
【請求項５】
前記切断手段による切断処理が実行される前に、ユーザに切断動作を実行して良いか確認する確認手段をさらに有することを特徴とする請求項１乃至４の何れか一項に記載の画像形成装置。
【請求項６】
印刷ジョブにおける、画像形成後のロール紙を切断する態様に応じて決まるカットモード設定に基づき、前記確認手段による確認を実行するか否かを判定する判定手段をさらに有することを特徴とする請求項５に記載の画像形成装置。
【請求項７】
前記確認手段による確認を要するか否かを設定する設定手段をさらに有することを特徴とする請求項５または６に記載の画像形成装置。
【請求項８】
印刷物の切断を、ページごとに行うか、または、印刷ジョブごとに行うかを設定する切断設定手段をさらに有することを特徴とする請求項１乃至７の何れか一項に記載の画像形成装置。
【請求項９】
ロール紙上に画像を形成する形成手段と、
画像形成後のロール紙を切断する切断手段と、
画像形成後のロール紙を巻き取る巻き取り手段と
を有する画像形成装置で実行される画像形成方法であって、
前記巻き取り手段により前記ロール紙を巻き取るが前記切断手段により前記ロール紙を切断しない巻き取り非切断モードに前記画像形成装置が設定されている場合、印刷ジョブにおける前記ロール紙の切断を指定する設定値に基づく切断処理を実行しないよう制御するステップ
を有することを特徴とする画像形成方法。
【請求項１０】
コンピュータを、請求項１乃至８の何れか１項に記載の画像形成装置における各手段として動作させるためのプログラム。
【発明の詳細な説明】
【技術分野】
【０００１】
本発明は、画像形成装置に関し、特にロール紙に印刷し、印刷したロール紙を巻き取り機構により巻き取る画像形成装置に関する。
【背景技術】
【０００２】
従来のロール紙に印刷する画像形成装置には、印刷したロール紙を画像形成装置と一体となった巻き取り機構により巻き取るものが存在する。このような画像形成装置は、長尺印刷やバナー印刷などの結果物である長い印刷物を巻き取り機構で巻き取ることにより、印刷物の持ち運びなどの取り扱いを容易にする目的で使用される。
【０００３】
また、このような画像形成装置は、複数の印刷ジョブに対する印刷処理を実行する場合にも使用される。ロール紙の切断なしに複数の印刷ジョブに対する印刷処理をまとめて実行し、印刷物を巻き取り機構で巻き取り、画像形成装置とは別に設けられた切断機により印刷ジョブ単位で印刷物を切断することにより、画像形成装置を効率的に利用することが知られている。
【０００４】
巻き取り機構を持つ画像形成装置の中には、用紙を搬送するための複数のモードを有し、搬送する用紙に応じて複数のモードの中から１つのモードを選択して用紙の供給を制御するものも存在する（特許文献１参照）。
【先行技術文献】
【特許文献】
【０００５】
【特許文献１】特許第５７１００５４号公報
【発明の概要】
【発明が解決しようとする課題】
【０００６】
しかしながら、特許文献１では、受信した印刷ジョブに設定されるカットモードと画像形成装置に設定された設定情報の両者に基づいて、印刷ジョブのカットに関する動作を決めることについて考慮していなかった。
【課題を解決するための手段】
【０００７】
本発明の一実施形態は、ロール紙上に画像を形成する形成手段と、画像形成後のロール紙を切断する切断手段と、画像形成後のロール紙を巻き取る巻き取り手段とを有する画像形成装置であって、前記巻き取り手段により前記ロール紙を巻き取るが前記切断手段により前記ロール紙を切断しない巻き取り非切断モードに前記画像形成装置が設定されている場合、印刷ジョブにおける前記ロール紙の切断を指定する設定値に基づく切断処理を実行しない制御手段を備えることを特徴とする画像形成装置である。
【発明の効果】
【０００８】
本発明によれば、ユーザは、切断に関する態様を印刷ジョブで設定できる。従って、従来では必要であった画像形成装置側での設定の変更操作が不要になる。
【図面の簡単な説明】
【０００９】
【図１】実施例１に係る画像形成装置の概略内部構成を示すブロック図
【図２】実施例１に係る画像形成装置の概略内部構成を示す断面図
【図３】実施例１に係る画像形成装置の動作フローチャート
【図４】実施例１に係る画像形成装置による、各設定に応じた処理結果を示す図
【図５】実施例２に係る画像形成装置の動作フローチャート
【発明を実施するための形態】
【００１０】
以下、本発明の実施形態について図面を用いて説明する。ただし、以下の実施形態は本発明を限定するものではなく、また、以下で説明されている特徴の組み合わせの全てが本発明の課題解決に必須のものとは限らない。なお、以下の説明において参照する各図では、原則として、他の図と同等の要素に同一の符号を付与している。
【００１１】
［実施例１］
＜画像形成装置の構成＞
図１は、本実施例に係る画像形成装置の一例を示す図であり、画像形成装置の概略内部構成を示すブロック図である。なお図１には、印刷に関わる構成要素のみを示しているが、画像形成装置が複写機能など他の機能のための構成要素を有していても良い。また本発明は、画像形成装置以外の装置、例えば複合機などにも適用することが可能である。
【００１２】
画像形成装置１００は、プリンタコントローラ１２０と、プリンタエンジン１５０と、ＨＤＤ１６１と、入出力装置１６２とを備える。また、画像形成装置１００は、ネットワーク１９１を介してホストコンピュータ１９０と接続されている。
【００１３】
プリンタコントローラ１２０は、ＨＤＤインターフェース（以下Ｉ／Ｆ）１２１と、入出力装置Ｉ／Ｆ１２２と、ＲＯＭ  Ｉ／Ｆ１２５と、メモリコントローラ１２６とを備える。また、プリンタコントローラ１２０は、ホストＩ／Ｆ１２７と、ＣＰＵ１２８と、エンジンＩ／Ｆ１２９と、画像処理部１３０とを備える。これらの構成要素は、システムバス１３２を介して接続される。さらに、プリンタコントローラ１２０は、フラッシュＲＯＭ１２３と、ＲＡＭ１２４とを備える。フラッシュＲＯＭ１２３はＲＯＭ  Ｉ／Ｆ１２５を介して、また、ＲＡＭ１２４はメモリコントローラ１２６を介してシステムバス１３２に接続される。
【００１４】
ＣＰＵ１２８は、マイクロプロセッサ（マイクロコンピュータ）形態の中央演算処理装置であり、プログラムの実行やハードウェアの起動により画像形成装置１００全体の動作を統括的に制御する。フラッシュＲＯＭ１２３は、ＣＰＵ１２８が実行するためのプログラム、画像形成装置１００の各種動作に必要な固定データ（画像形成装置の製造時に設定され、後に変更されることがないデータ）、各種設定に関するデータなどを格納する。ＲＡＭ１２４は、ＣＰＵ１２８のワークエリアとして機能し、また、画像形成装置１００が外部装置から受信したデータや、各種設定に関するデータを一時的に格納する領域として用いられる。
【００１５】
画像処理部１３０は、各種画像処理を行う。例えば、画像処理部１３０は、画像形成装置１００で扱う印刷データ（例えば、ページ記述言語で表されたデータ）を画像データ（ビットマップ画像データ）へ変換する。また、画像処理部１３０は、画像データの色空間（例えばＹＣｂＣｒ）を、標準的なＲＧＢ色空間（例えばｓＲＧＢ）に変換する。さらに、画像処理部１３０は、画像データに対し、有効な（画像形成装置１００が印刷可能な）画素数への解像度変換、画像解析、画像補正等、様々な画像処理を必要に応じて行う。これらの画像処理によって得られた画像データは、ＲＡＭ１２４やＨＤＤ１６１に格納される。
【００１６】
プリンタエンジン１５０は、インクジェットヘッド１５１と、カッタユニット１５２と、搬送モータ１５３と、コントローラＩ／Ｆ１５４と、巻き取りモータ１５５とを備える。これらの構成要素は、システムバス１５６を介して接続される。
【００１７】
インクジェットヘッド１５１は、画像データに基づいて用紙などの記録媒体上に画像を印刷する。例えば、インクジェットヘッド１５１は、複数色分の印刷ヘッドを複数保持し、記録媒体の搬送に同期して印刷ヘッドからインクを吐出させてロール紙上に画像を形成する。なお本実施例では、画像形成装置として、記録剤にインクを用いたインクジェット方式のプリンタを例に挙げて説明するが、画像形成装置はインクジェット方式のものに限定されない。本発明は、サーマルプリンタ（昇華型、熱転写型など）、ドットインパクトプリンタ、ＬＥＤプリンタ、レーザープリンタなどの電子写真方式のプリンタなど、様々な画像形成装置にも適用可能である。
【００１８】
カッタユニット１５２は、用紙などの記録媒体を切断する機構である。カッタユニット１５２は、インクジェットヘッド１５１によるインク吐出後（画像形成後）に記録媒体を所定の長さに切断する。
【００１９】
切断する記録媒体が、切断すると紙粉が飛び散る紙種である場合に備えて、ユーザは、画像形成装置１００において、切断時の紙粉飛散を防止するために、切断位置にカット屑を軽減するためのラインを引くよう制御する設定を行うことが可能である。本実施例では、切断位置にカット屑を軽減するためのラインを引くことに関する設定を、「軽減ライン設定」と呼ぶ。ユーザにより設定されたラインを引くか否かを示す情報（軽減ライン設定のＯＮ／ＯＦＦ情報）は、フラッシュＲＯＭ１２３に記憶される。
【００２０】
また、軽減ライン設定とは別のカッタユニット１５２に関する設定として、紙の種類に応じて決まる設定が存在する。本実施例では、この設定を「用紙属性設定」と呼ぶ。用紙属性設定の設定値として３つの値が存在し、ユーザは３つの値の何れかを選択することで、用紙属性設定を指定する。具体的には、記録媒体がカッタユニット１５２で切断できない紙種である場合、ハサミ等を用いて自分で切るために、ユーザは、カッタユニット１５２を動かさないよう制御する設定を行う（設定値“ユーザカット”を選択）。記録媒体が、坪量が大きくユーザが押さえながら切断しないと切断する線が曲がってしまう紙種である場合、ユーザは、用紙を押さえる時間をユーザに与えてからカッタユニット１５２が動くよう制御する設定を行う（設定値“イジェクトカット”を選択）。記録媒体が、前述の“ユーザカット”、“イジェクトカット”の設定を行わずに済む紙種である場合、ユーザは、カッタユニット１５２の通常動作により切断するよう制御する設定を行う（設定値“オートカット”を選択）。ユーザにより設定された用紙属性設定に関する情報は、フラッシュＲＯＭ１２３に記憶される。
【００２１】
搬送モータ１５３は、記録媒体を搬送させる搬送ローラを駆動させるためのモータであり、ＣＰＵ１２８によって制御される。
【００２２】
巻き取りモータ１５５は、巻き取り機構の軸棒を回転させるためのモータであり、ＣＰＵ１２８によって制御される。画像形成装置１００上で設定可能な、巻き取り機構に関する設定として、印刷時の巻き取り機構の使用の態様を決めるための設定が存在する。この設定を「巻き取り機構使用設定」と呼ぶ。巻き取り機構使用設定の設定値として３つの値が存在し、ユーザは３つの値のうちの何れかを選択することで、巻き取り機構の使用の態様（動作モード）を指定する。具体的には、第１の設定値は、カッタユニット１５２および巻き取り機構を使用可能な状態にするための“使用（カットＯＮ）”である。第２の設定値は、巻き取り機構を使用可能な状態にし、カッタユニット１５２を使用不能な状態にするための“使用（カットＯＦＦ）”である。第３の設定値は、巻き取り機構を使用不能な状態にするための“不使用”である。これらの設定値の何れかをユーザは選択する。巻き取りモータ１５５は、画像形成装置１００における巻き取り機構使用設定の設定値が“使用（カットＯＮ）”または“使用（カットＯＦＦ）”である場合に動作する。
【００２３】
入出力装置１６２は、ユーザが種々の操作を行うためのハードキーやタッチパネルなどの入力装置、および、ユーザに種々の情報を提示（通知）するためのディスプレイやランプなどの出力装置を含む。ユーザは、入出力装置１６２を介して入力することで、画像形成装置１００を設定する（即ち、軽減ライン設定、用紙属性設定、巻き取り機構使用設定などの各設定における設定値を選択する）ことができる。なお、ユーザへの情報提示は、音声発生器から音響（ブザー、音声等）を出力することによって行っても良い。
【００２４】
ＨＤＤ１６１は、ＣＰＵ１２８が実行するためのプログラム、ホストコンピュータ１９０から送られた印刷データ、画像形成装置１００の各種動作に必要な設定情報などを格納する。また、ＨＤＤ１６１には、印刷ジョブを管理するためのジョブキューが記憶される。ジョブキューには、印刷実行中や印刷実行前の印刷ジョブが保持される。
【００２５】
なお、本実施例では、画像形成装置１００が入出力装置１６２を備えるものとして説明したが、入出力装置１６２は、画像形成装置１００の外部に別個に設けられていても良い。この場合、画像形成装置１００と入出力装置１６２とは、無線通信等により接続される。また、画像形成装置１００に対する入力、および、画像形成装置１００からの出力を、ホストコンピュータ１９０を介して行っても良い。さらに、入出力装置１６２以外の入出力装置が、ネットワーク１９１を介して接続されていても良い。
【００２６】
ホストコンピュータ１９０は、画像形成装置１００の外部装置であり、画像形成装置１００が印刷する印刷データの供給源である。なお、画像形成装置１００には、ホストコンピュータ１９０の代わりに、画像読取用のリーダ、デジタルカメラ、スマートフォンなどの、印刷データの供給源となる他の外部装置が接続されていても良い。ユーザは、ホストコンピュータ１９０を使用して画像形成装置１００に印刷データを供給する際、ホストコンピュータ１９０で動作するプリンタドライバ（または印刷設定アプリケーション）の設定画面を用いて印刷ジョブのオプション設定を設定できる。なお、ユーザは、オプション設定として、印刷後のロール紙の切断に関する設定を行うことが可能である。本実施例では、印刷ジョブで指定可能な印刷後のロール紙の切断に関する設定を、「カットモード設定」と呼ぶ。カットモード設定の設定値として３つの値が存在し、ユーザは３つの値のうちの何れかを選択することで、カットモードを指定する。具体的には、印刷が終了したページ毎に切断する“カットあり”、切断を禁止する“カットなし”、切断せず切断位置に線を引く“カットラインあり”の設定値の何れかを、ユーザは選択できる。また、ユーザは、印刷ジョブのオプション設定として、印刷時（画像形成時）のフチの有無に関する設定（本実施例では「フチ有無設定」と呼ぶ）を行う（即ち、“フチあり”か“フチなし”を選択する）ことも可能である。
【００２７】
ユーザは、記録媒体としてロール紙を画像形成装置１００に給紙する際に、入出力装置１６２を使用してロール紙の用紙種を特定する情報を入力する。ユーザにより入力されたロール紙の用紙種を特定する情報は、ＲＡＭ１２４に記憶される。給紙作業を終えたユーザは、ホストコンピュータ１９０を使用して画像形成装置１００に印刷データを送る。ホストコンピュータ１９０から送られてきた印刷データを受け取った画像形成装置１００では、ＣＰＵ１２８が、印刷データをＨＤＤ１６１に書き込み、また、ＨＤＤ１６１に書き込んだ印刷データを所定のデータ量ごとにＲＡＭ１２４に展開する。その後、該展開された印刷データは、画像処理部１３０により二値データに変換されて、プリンタエンジン１５０に転送される。プリンタエンジン１５０は、転送された二値データに基づいて、インクジェットヘッド１５１によりロール紙に画像を印刷する。画像の印刷が終了した後、搬送モータ１５３を駆動することにより、所定の位置までロール紙を移動させ、カッタユニット１５２によって、ロール紙を切断する。巻き取り機構を使用する設定がなされていて、ロール紙が巻き取りの軸棒に接着されている場合は、巻き取りモータ１５５により軸棒を回し、印刷されたロール紙を軸棒の周りに巻き取る。
【００２８】
図２は、画像形成装置１００の概略内部構成を示す断面図であり、詳細には、画像形成装置１００内の、印刷前のロール紙が搬送されて印刷された後、巻き取られるまでの処理に係わる構成要素の位置関係を示す図である。ロール紙管２０１にセットされたロール紙２０４は、搬送ローラ２０３によって搬送されインクジェットヘッド１５１の近傍に到達する。インクジェットヘッド１５１は、ロール紙管２０１から搬送されたロール紙２０４にインクを吐出することで、ロール紙２０４上に画像を印刷する。印刷後のロール紙２０４は、画像形成装置１００の排出口（図示せず）から排出され、巻き取りロール２０２によって巻き取られる。
【００２９】
＜画像形成装置の動作＞
図３は、画像形成装置１００における、巻き取り機構の使用の有無に基づき、印刷ジョブを書き変えて印刷する動作のフローチャートである。ホストコンピュータ１９０等の外部装置から画像形成装置１００が印刷データを受信すると、以下の処理が実行される。
【００３０】
Ｓ３０１において、ＣＰＵ１２８は、印刷ジョブにおける設定（カットモード設定、フチ有無設定）に関する情報（各設定の設定値）を取得する。なお、印刷ジョブとは、印刷データとオプション設定を含む。つまり、ホストコンピュータ１９０は、印刷データとオプション設定を含む印刷ジョブを画像形成装置１００に送信する。また、ＣＰＵ１２８は、画像形成装置における設定（巻き取り機構使用設定、用紙属性設定、軽減ライン設定）に関する情報（各設定の設定値）を取得する。
【００３１】
Ｓ３０２において、ＣＰＵ１２８は、Ｓ３０１で取得した情報に基づき、巻き取り機構を使用するか否かを判定する。具体的には、Ｓ３０１で取得した巻き取り機構使用設定の設定値が“使用（カットＯＮ）”または“使用（カットＯＦＦ）”である場合、巻き取り機構を使用すると判定する一方、当該設定値が“不使用”である場合、巻き取り機構を使用しないと判定する。Ｓ３０２の判定の結果、巻き取り機構を使用する場合、Ｓ３０３に進み、巻き取り機構を使用しない場合、Ｓ３０６に進む。
【００３２】
Ｓ３０３において、ＣＰＵ１２８は、Ｓ３０１で取得した情報に基づき、カッタユニット１５２を使用するか否かを判定する。具体的には、Ｓ３０１で取得した巻き取り機構使用設定の設定値が“使用（カットＯＮ）”である場合、カッタユニット１５２を使用すると判定する一方、当該設定値が“使用（カットＯＦＦ）”である場合、カッタユニット１５２を使用しないと判定する。Ｓ３０３の判定の結果、カッタユニット１５２を使用する場合、Ｓ３０６に進み、カッタユニット１５２を使用しない場合、Ｓ３０４に進む。
【００３３】
Ｓ３０４において、ＣＰＵ１２８は、Ｓ３０１で取得した、印刷ジョブにおけるカットモード設定の設定値が、“カットあり”であるか否かを判定する。Ｓ３０４の判定の結果、当該設定値が “カットあり”である場合、Ｓ３０５に進む一方、当該設定値が “カットあり”ではない場合、Ｓ３０６に進む。
【００３４】
Ｓ３０５において、ＣＰＵ１２８は、印刷ジョブにおけるカットモード設定の設定値を“カットあり”から“カットなし”に書き換える。
【００３５】
Ｓ３０６において、ＣＰＵ１２８は、印刷ジョブの設定に従い印刷する。
【００３６】
以上が、本実施例に係る画像形成装置の動作である。
【００３７】
図４は、本実施例に係る画像形成装置１００が、図３に示すフロー処理を実行した結果、当初の印刷ジョブの各設定および画像形成装置の各設定に応じて、どのような印刷物が出力されるのかを示すテーブルである。なお、図４（ａ）は、巻き取り機構使用設定の設定値が“使用（カットＯＦＦ）”である場合を、図４（ｂ）は、当該設定値が“使用（カットＯＮ）”である場合を示す。
【００３８】
図４（ａ）に示すように、巻き取り機構使用設定が“使用（カットＯＦＦ）”に設定されている場合、印刷ジョブにおけるカットモード設定の設定値によらず、ロール紙がカットされることはない。
【００３９】
一方、図４（ｂ）に示すように、巻き取り機構使用設定が“使用（カットＯＮ）”に設定されている場合、印刷ジョブにおけるカットモード設定の設定値に応じて、ロール紙がカットされるか否かが決定される。例えば、印刷ジョブの設定の設定値が“カットあり”、“フチあり”で、画像形成装置の設定の設定値が“オートカット”、“軽減ラインＯＮ”であれば、巻き取り機構の使用時であっても、各ページ印刷の終了後、ロール紙はカッタユニットにより切断される。一方、“カットあり”、“フチなし”で、画像形成装置の設定の設定値が“オートカット”、“軽減ラインＯＮ”であれば、画像形成装置は、軽減ラインをＯＦＦに切り替えて、かつ、切断も実行しない。これは、“フチなし”印刷が設定されている場合、切断位置（または切断位置付近）まで画像が印刷されることになる。この状況で、画像形成装置が、軽減ラインを記録媒体の切断位置に印刷すると、フチなし印刷対象の画像の上に軽減ラインが印刷されることになり、ユーザが意図しない印刷物が印刷されるおそれがある。つまり、ユーザが意図した通りの印刷物を得るためには軽減ラインを印刷することはできない。その結果、軽減ラインが印刷されないことで紙片が飛び散る可能性が生じることになる。よって、“カットあり”、“フチなし”で、画像形成装置の設定の設定値が“オートカット”、“軽減ラインＯＮ”であれば、画像形成装置は、軽減ラインをＯＦＦに切り替えて、かつ、切断も実行しない。
【００４０】
上記の通り、本実施例に係る画像形成装置では、巻き取り機構と、カッタユニットとを併用して印刷するための動作モードを設けている。これにより、例えば巻き取った長尺印刷物を納品するワークフローにおいて、印刷が終了するたびに巻き取り機構を使用する設定を画像形成装置側で解除する手間が不要になる。また、画像形成装置上で設定を変更することなく、カットの有無を印刷ジョブ上の設定で切り替えて印刷できる。その結果、巻き取り機構を使用する印刷ジョブ（カットなし）の印刷実行中でも簡単に割り込みジョブ（カットあり）の印刷処理を実行することが可能となる。
【００４１】
［実施例２］
以下、実施例２について説明する。ただし、以下の説明において、実施例１と共通する内容については、説明を省略する。
【００４２】
＜画像形成装置における設定＞
画像形成装置上で設定可能な設定として、印刷物の切断をページごとに行うか、または、ジョブごとに行うかを決めるための設定が存在する。この設定を「切断単位設定」と呼ぶ。この設定の設定値として２つの値が存在し、ユーザは２つの値のうちの一方を選択することで、切断時の単位を指定する。具体的には、ページごとに切断するための“ページごと”、または、ジョブごとに切断するための“ジョブごと”の設定値の一方を、ユーザは選択できる。
【００４３】
また他の設定として、実際に切断処理を実行するにあたってユーザに確認を求めるか否かを決めるための設定が存在する。この設定を「切断確認要否の設定」と呼ぶ。この設定の設定値として「要」、「否」という２つの値が存在し、ユーザは２つの値のうちの一方を選択することで、切断の際に、ユーザに確認用の画面を表示するか否かを指定する。
【００４４】
＜画像形成装置の動作＞
図５は、画像形成装置１００における、切断確認要否の設定に応じて、ユーザの操作を待ってカット動作を行う動作のフローチャートある。
【００４５】
ユーザは、ロール紙を巻き取り機構へ取り付ける。
【００４６】
Ｓ５０２において、画像形成装置１００は、印刷データに基づき印刷を実行する。なお、本ステップにおける印刷とは、実施例１に係る印刷を含む（図３参照）。
【００４７】
Ｓ５０３において、ＣＰＵ１２８は、印刷ジョブに基づき、印刷後にロール紙を切断するか否かを判定する。Ｓ５０３の判定の結果、切断する場合、Ｓ５０４に進む一方、切断しない場合、処理は終了する。なお、本ステップにおける「印刷後」とは、切断単位設定の設定値が“ページごと”の場合は各ページの印刷終了後、当該設定値が“ジョブごと”の場合は各ジョブの印刷終了後、という意味である。
【００４８】
Ｓ５０４において、ＣＰＵ１２８は、切断動作の実行確認をユーザに行う必要があるか否かを判定する。具体的には、切断確認要否の設定の設定値が“要”である場合、切断動作の実行確認をユーザに行う必要があると判定し、Ｓ５０５に進む。一方、当該設定値が“否”である場合、切断動作の実行確認をユーザに行う必要がないと判定し、Ｓ５０８に進む。
【００４９】
Ｓ５０５において、ＣＰＵ１２８は、入出力装置１６２に確認用のＵＩ画面を表示させる。なお、Ｓ５０５で表示するＵＩ画面は、Ｓ５０２の印刷処理が完了した後に表示されても、完了前に表示されても良い。
【００５０】
Ｓ５０６において、ＣＰＵ１２８は、ジョブキューを参照して、後続の印刷ジョブがあるか否かを判定する。Ｓ５０６の判定の結果、後続の印刷ジョブがある場合、ロール紙を切断することなく処理が終了する一方、後続の印刷ジョブがない場合、Ｓ５０７に進む。なお、Ｓ５０５で表示されたＵＩ画面に対してユーザが操作する前にＳ５０６においてＹｅｓと判定された場合、ＵＩ画面は非表示状態になる。また、Ｓ５０６の判定が完了する前に、ユーザが確認用のＵＩ画面に対して切断動作の実行を指示した場合、Ｓ５０６の判定がスキップされても良い。
【００５１】
Ｓ５０７において、ＣＰＵ１２８は、Ｓ５０５で表示したＵＩ画面を介するユーザ入力に基づき、切断動作を実行するか否かを判定する。ユーザがＵＩ画面上で切断動作の実行を選択した場合、Ｓ５０８に進む一方、ユーザがＵＩ画面上で切断動作の非実行を選択した場合、処理は終了する。
【００５２】
Ｓ５０８において、ＣＰＵ１２８は、カッタユニット１５２に、印刷後の用紙の後端を切断させる。
【００５３】
Ｓ５０９において、ＣＰＵ１２８は、巻き取りモータ１５５に、印刷後の用紙を巻き取らせる。
【００５４】
Ｓ５１０において、ＣＰＵ１２８は、ジョブキューを参照して、後続の印刷ジョブが新たに登録されているか否かを判定する。Ｓ５１０の判定の結果、後続の印刷ジョブが新たに登録されている場合、Ｓ５１１に進む一方、未登録の場合、処理は終了する。
【００５５】
Ｓ５１１において、ＣＰＵ１２８は、搬送モータ１５３を駆動することで、まだ印刷されていないロール紙の先端を巻き取り機構の位置までフィードさせる。この処理は、後続の印刷ジョブに基づく印刷処理を実行するために行われる。
【００５６】
上記の通り、本実施例に係る画像形成装置では、画像形成装置の設定に応じて、実際に切断動作を実行する前にユーザに確認を求める。このようにユーザに確認を求めることで、共有の画像形成装置において、複数のユーザによる複数の印刷ジョブに対する印刷処理を実行する場合に、カット動作が誤って実行されることを防止できる。
【００５７】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１００  画像形成装置
１２８  ＣＰＵ
１５１  インクジェットヘッド
１５２  カッタユニット
１５５  巻き取りモータ
【図１】
0006659108.tif 000002
【図２】
0006659108.tif 000003
【図３】
0006659108.tif 000004
【図４】
0006659108.tif 000005
【図５】
0006659108.tif 000006